(57)【要約】  【課題】  電波の悪い場所に装置本体が置かれても、装置本体を移動させずに良好に電波を受信することができる無線通信装置を提供することである。  【解決手段】  携帯電話機（無線通信装置）１０は、無線通信機能を実現する通信処理部を内蔵した筐体１１と、筐体１１に着脱可能なアンテナ１４と、通信処理部とアンテナ１４とを電気的に接続するワイヤ１５と、アンテナ１４を取り外した際にアンテナ１４を自立させる自立手段１７と、アンテナ１４の方向を変える可動手段１６とを備えた構成とする。【選択図】      図３
2006229439.tif 000002
【特許請求の範囲】
【請求項１】
無線通信機能を実現する通信処理部を内蔵した筐体と、該筐体に着脱可能なアンテナと、前記通信処理部と前記アンテナとを電気的に接続するワイヤとを備えた無線通信装置。
【請求項２】
前記アンテナを取り外した際に、前記アンテナを自立させる自立手段を設けたことを特徴とする請求項１記載の無線通信装置。
【請求項３】
前記自立手段が、吸盤又は磁石であることを特徴とする請求項２記載の無線通信装置。
【請求項４】
前記アンテナの方向を変える可動手段を設けたことを特徴とする請求項１〜３の何れかに記載の無線通信装置。
【請求項５】
前記可動手段は、前記アンテナを１つの面方向に可動させる第１の可動部と、前記アンテナを回転させる第２の可動部とを備えることを特徴とする請求項４記載の無線通信装置。
【請求項６】
前記可動手段を駆動する駆動手段を設け、該駆動手段の駆動を指示する操作部を前記筐体に設けたことを特徴とする請求項４又は５記載の無線通信装置。
【発明の詳細な説明】
【技術分野】
【０００１】
本発明は、携帯電話等の無線通信装置のアンテナ構造に関するものである。
【背景技術】
【０００２】
従来の携帯電話機等の無線通信装置には、一般的に伸縮式のアンテナが採用されている。通常、携帯時にはアンテナを装置内に縮めて収納し、使用時の感度が低い場合にアンテナを延ばして用いられる。しかしながら、携帯電話機を使用する場合、電波の悪い場所ではアンテナを延ばしても通信困難な場合があり、通話できなかったり、相手の声を聞き取りにくかったりする。
【０００３】
このように電波が悪い場合は、携帯電話機の方向を変えたり、場所を移動したりしなければならない。例えば、寝転がりながら携帯電話機で通話していて電波が悪くなった場合、起きあがって窓際等へ移動しなければならない。また、屋内で携帯電話機を使用中に電波が悪くなった場合、屋外に出ると電波が良くなる場合がある。
【０００４】
ところで装置自体の受信感度を上げる方法としては、例えば特許文献１に、着脱式パッチアンテナが提案されている。この着脱式パッチアンテナは、パソコン等の電子機器に配設されたアンテナ端子に対して着脱可能なコネクタ部と、このコネクタ部に回転自在に保持されたアンテナ本体とを備えている。この構成により、パソコン等の電子機器に装着した状態でパッチアンテナの向きを適宜変更できるので、受信しようとする電波が飛来する方向に最大指向方向を合わせることができる。
【特許文献１】特開２００３−２４３９１４号公報
【発明の開示】
【発明が解決しようとする課題】
【０００５】
しかしながら、屋内等で無線通信装置を使用しておりアンテナの向きを変えるだけでは電波状況が良くならない場合は、特許文献１のアンテナでは解決できず、窓際や屋外等の電波の良い場所に移動しなければならない。そのため、無線通信装置を所望の場所で使用できなくなり、使い勝手が悪い。
【０００６】
本発明は、電波の悪い場所に装置本体が置かれても、装置本体を移動させずに良好に電波を受信することができる無線通信装置を提供することを目的とする。
【課題を解決するための手段】
【０００７】
上記目的を達成するために本発明の無線通信装置は、無線通信機能を実現する通信処理部を内蔵した筐体と、該筐体に着脱可能なアンテナと、前記通信処理部と前記アンテナとを電気的に接続するワイヤとを備えたものである。
【０００８】
この構成によると、アンテナを筐体から外してワイヤを延ばして、アンテナだけを移動させることができる。
【０００９】
上記の無線通信装置において、前記アンテナを取り外した際に、前記アンテナを自立させる自立手段を設けることが望ましい。
【００１０】
この構成によると、無線通信装置の使用中に電波が悪くなっても、身近な適当な場所に自立手段を固定してアンテナを立てることができる。
【００１１】
前記自立手段には吸盤又は磁石を採用することで、机などの水平面だけでなく、窓などの垂直な面や傾斜面にでもアンテナを簡単に固定することができる。
【００１２】
また上記の無線通信装置において、前記アンテナの方向を変える可動手段を設けることが望ましい。この構成によると、アンテナを所望の方向に向けることができる。
【００１３】
この可動手段は、例えば、前記アンテナを１つの面方向に可動させる第１の可動部と、前記アンテナを回転させる第２の可動部とから構成することができる。
【００１４】
また上記の無線通信装置において、前記可動手段を駆動する駆動手段を設け、該駆動手段の駆動を指示する操作部を前記筐体に設けてもよい。
【００１５】
この構成によると、取り外したアンテナを手の届かない場所に固定した場合などでも、操作部の操作によりアンテナを所望の方向に向けることができるので、使い勝手がよくなる。
【発明の効果】
【００１６】
本発明によれば、アンテナを所望の場所に固定して更に所望の方向に向けられるので、電波の悪い場所に無線通信装置が置かれても、筐体は移動させずにアンテナを取り外して移動させることで良好に電波を受信することができる。
【発明を実施するための最良の形態】
【００１７】
以下、本発明の無線通信装置の一例として携帯電話機を例に説明する。図１は、携帯電話機の正面図、図２は、アンテナを伸ばした状態の携帯電話機の正面図、図３は、アンテナを取り外した状態の携帯電話機の正面図、図４は、第１の可動部を動かした状態のアンテナの正面図、図５は、第２の可動部を動かした状態のアンテナの正面図である。
【００１８】
図１に示すように、携帯電話機１０は、無線通信機能を実現する通信処理部等を内蔵した筐体１１と、液晶パネル等からなる表示部１２と、テンキー１３ａや上下左右の矢印キー１３ｂ等からなる操作部１３と、筐体１１に着脱可能なアンテナ１４とを備えている。
【００１９】
アンテナ１４収納時には、キャップ部分だけが筐体１１の上部から突出している（図１参照）。そしてアンテナの引き出し時には、アンテナの直線状の導体部分が筐体１１内から伸ばされる。
【００２０】
また携帯電話機１０は、図３に示すように、筐体１１内の通信処理部とアンテナ１４とを電気的に接続する導電体からなるワイヤ１５と、ワイヤ１５の根元に設けられアンテナ１４の方向を変える可動手段１６と、可動手段１６の下部に設けられアンテナ１４を自立させる自立手段１７とを備えている。
【００２１】
図３では、ワイヤ１５がアンテナ１４の導体部分に接続されているが、可動手段１６に導電体を用いればワイヤ１５を可動手段１６に接続してもよいし、可動手段１６及び自立手段１７に導電体を用いればワイヤ１５を自立手段１７に接続してもよい。また、ワイヤ１５の長さには特に限定はなく、長いほど取り外したアンテナ１４の設置場所の自由度が広がるが、収納スペースも大きくなることを考慮して設計する必要がある。
【００２２】
図２のように伸ばした状態のアンテナ１４を取り外すことで、図３のようにアンテナ１４が筐体１１と分離した状態となる。なお、アンテナ１４の筐体１１への着脱は、ネジ式や嵌合式にすることができる。またアンテナ１４を筐体１１内に収納したときに、ワイヤ１５は筐体１１内に収納されるようにしてもよいし、筐体１１外（例えば筐体１１の背面）に収まるようにしてもよい。好適には、筐体１１内にワイヤ１５を巻き取る巻取部（不図示）を設け、筐体１１内に収納できることである。
【００２３】
可動手段１６は、アンテナ１４を１つの面方向に可動させる第１の可動部１６ａと、アンテナ１４を回転させる第２の可動部１６ｂとを備える。第１の可動部１６ａは、円柱状であり、この円柱の側面にアンテナ１４が接続され、円柱の側面が後述する第２の可動部１６ｂの上回転部材１６ｃに摺動可能に支持されている。これにより、第１の可動部１６ａは円柱の軸を中心とする１つの面方向（図４の矢印方向）に動かされる。
【００２４】
また第２の可動部１６ｂは、第１の可動部１６ａを回動可能に支持する上回転部材１６ｃと、上回転部材１６ｃを回転可能に支持する下回転部材１６ｄとからなる。例えば、上回転部材１６ｃと下回転部材１６ｄとを回転軸（不図示）で接続すればよい。これにより、上回転部材１６ｃは下回転部材１６ｄに対して回転軸を中心に回転する。これに伴ってアンテナ１４も回転軸を中心に回転（図５の矢印方向）する。
【００２５】
上記の可動手段１６の構成によると、第１の可動部１６ａの動作でアンテナ１４を傾けることができ、第２の可動部１６ｂの動作でアンテナ１４の向きを変えられるので、これらの動作を組み合わせるとアンテナ１４を所望の方向に向けることができる。なお、可動手段１６は、アンテナ１４に接続される球状のボールと、このボールを回動自在に支持するボール軸受とから構成してもよい。このように、可動手段１６の構造や材料には特に限定はなく、アンテナ１４の方向を変えることができるものであればよい。
【００２６】
自立手段１７は、筐体１１から取り外したアンテナ１４を自立させる手段であり、例えば、吸盤や磁石が用いられる。これにより、机などの水平面だけでなく、窓などの垂直な面や傾斜面にでもアンテナ１４を簡単に固定することができる。従って、携帯電話機１０の使用中に電波が悪くなっても、身近な適当な場所に自立手段１７を固定することができる。なお、自立手段１７の構造や材料には特に限定はなく、筐体１１から取り外したアンテナ１４を安定して固定するものであればよい。
【００２７】
また、アンテナ１４の駆動を遠隔操作できるようにしてもよい。そのためには、可動手段１６を駆動する駆動手段（不図示）を設け、操作部１３で駆動手段の駆動を指示するようにすればよい。駆動手段は、例えば、可動手段１６内にモータを内蔵することにより実現できる。また駆動手段の操作を指示する操作部１３は既存のキーを兼用してもよいし、新たに駆動手段操作用のキーを設けてもよい。これにより、取り外したアンテナ１４を手の届かない場所に固定した場合などでも、操作部１３の操作によりアンテナ１４を所望の方向に向けることができるので、使い勝手がよくなる。
【００２８】
以上のように、アンテナ１４を所望の場所に固定して更に所望の方向に向けられるので、電波の悪い場所に携帯電話機１０が置かれても、筐体１１は移動させずにアンテナ１４を取り外して移動させることで良好に電波を受信することができる。
【００２９】
次に携帯電話機１０の効果的な使用例について説明する。例えば、寝転がりながら携帯電話機１０で通話していて電波が悪くなった場合、寝ころんだ状態のままアンテナ１４を筐体１１から取り外して適当な場所に固定し、アンテナ１４の方向を調整するだけで良好に電波を受信することができる。従来のように起きあがって移動する必要はない。
【００３０】
また例えば、屋内で携帯電話機１０を使用中に電波が悪くなった場合、アンテナ１４を筐体１１から取り外して窓の外側に固定し、アンテナ１４の方向を調整するだけで良好に電波を受信することができる。従来のように携帯電話機を持って屋外に出る必要はない。
【００３１】
また例えば、上記のように窓の外側にアンテナ１４を固定した場合、操作部１３でアンテナ１４の向きが遠隔操作できれば、わざわざ屋外に出る必要がない。
【産業上の利用可能性】
【００３２】
本発明の無線通信装置は、携帯電話機をはじめ、ノート型のパーソナルコンピュータ、ＰＤＡ（personal digital assistant）等の携帯型の無線通信装置に特に有効に利用できる。またデスクトップ型のパーソナルコンピュータ等のように設置型の無線通信装置にも利用することができる。
【図面の簡単な説明】
【００３３】
【図１】携帯電話機の正面図である。
【図２】アンテナを伸ばした状態の携帯電話機の正面図である。
【図３】アンテナを取り外した状態の携帯電話機の正面図である。
【図４】第１の可動部を動かした状態のアンテナの正面図である。
【図５】第２の可動部を動かした状態のアンテナの正面図である。
【符号の説明】
【００３４】
１０    携帯電話機（無線通信装置）
１１    筐体
１３    操作部
１４    アンテナ
１５    ワイヤ
１６    可動手段
１７    自立手段
【図１】
2006229439.tif 000003
【図２】
2006229439.tif 000004
【図３】
2006229439.tif 000005
【図４】
2006229439.tif 000006
【図５】
2006229439.tif 000007